(57)【要約】【課題】腕枕に近い感覚が得られるとともに、使用形態に変化を持たせることが可能な腕枕代用枕を提供すること。【解決手段】人の胴体とそれに連なる腕を模して形成した腕枕代用枕であって、枕の前腕に相当する部分２ｂを上腕に相当する部分２ａに対して折り曲げ可能に形成した。これによって、実際の腕枕に近い感覚となり、一体感や安心感が得られ、安眠できる。また、様々な使用形態に対応することができる。【選択図】　　図１
2004065270.tif 000002
【特許請求の範囲】
【請求項１】
人の胴体と腕を模して形成した腕枕代用枕であって、枕の前腕に相当する部分を上腕に相当する部分に対して折り曲げ可能に形成したことを特徴とする腕枕代用枕。
【発明の詳細な説明】
【０００１】
【発明の属する技術分野】
本発明は、人の腕枕の代用とする腕枕代用枕に関する。
【０００２】
【従来の技術】
枕は、頭を載せて支えるものであり各種の枕が使用されているが、快適な寝姿や精神的に安眠できるように他人の腕に頭を載せて枕の代わりにする、いわゆる腕枕とする場合がある。腕枕に代わる枕が、実開昭６３−１５０５６２号公報に記載されている。この公報に記載の枕は、枕本体の枕表面にひざ枕を連想させる女性の肢体を表示し、枕裏面には腕枕を連想させる男性の上腕部を表示したものである。
【０００３】
【発明が解決しようとする課題】
腕枕は、例えば母親が乳幼児を寝かせ付ける際に添い寝しながらするときのように、人との一体感や安心感を与えるものであり、腕枕代用枕にもそのことが求められる。さらに、人は様々な寝姿をとるので、腕枕代用枕も様々な使用形態に対応できることが求められる。
【０００４】
しかしながら、前記の実開昭６３−１５０５６２号公報に記載されている枕は、単に図柄を枕本体に表示しただけなので、頭を枕に載せる前に図柄を見て、単に腕枕を想像するだけにとどまり、通常の枕と同じ感覚で頭を支えているだけであり、一体感や安心感のような実際の腕枕の感覚は得られない。また、枕の形が一定であるので使用形態が限られ、使用形態の変化に対応できない。
【０００５】
そこで、本発明は、腕枕に近い感覚が得られるとともに、使用形態に変化を持たせることが可能な腕枕代用枕を提供するものである。
【０００６】
【課題を解決するための手段】
本発明のひざ枕代用枕は、人の胴体と腕を模して形成した腕枕代用枕であって、枕の前腕に相当する部分を上腕に相当する部分に対して折り曲げ可能に形成したことを特徴とする。
【０００７】
【発明の実施の形態】
人の胴体と腕を模して形成したことにより、実際の腕枕に近い感覚となり、一体感や安心感が得られ、安眠できる。さらに、枕の前腕に相当する部分を上腕に相当する部分に対して折り曲げ可能に形成したことにより、様々な使用形態に対応することができる。
【０００８】
本発明の腕枕代用枕の材料は、特に限定されるものではなく、従来の枕と同様に、表地には綿布や化繊などを使用し、中に入れる材料には綿、パンヤやスポンジゴムなどから好みの柔らかさに応じて選択し、詰め込む量を調整して、クッション枕を形成する。
【０００９】
【実施例】
図１は本発明による腕枕代用枕の一実施例を示す斜視図であり、（ａ）は枕の前腕に相当する部分を伸ばした状態を示し、（ｂ）は枕の前腕に相当する部分を折り曲げた状態を示す。
【００１０】
図１において、腕枕代用枕は、人の胴体の一部を模して形成した胴体に相当する部分１と、人の腕を模して形成した腕に相当する部分２とからなり、胴体に相当する部分１と腕に相当する部分２とは一体に形成されている。
【００１１】
腕に相当する部分２は、上腕に相当する部分２ａと前腕に相当する部分２ｂとからなり、上腕に相当する部分２ａと前腕に相当する部分２ｂとの連結部分、すなわち肘に相当する部分に、例えばキルティングにより凹みをつけることによって、前腕に相当する部分２ｂを上腕に相当する部分２ａに対して折り曲げ可能としている。また、腕に相当する部分２の中に金具、中材等を埋め込み、肘に相当する部分で折り曲げ可能としてもよい。
【００１２】
次に、本実施例の使用形態の一例を図２を参照して説明する。
【００１３】
図２（ａ）は、前腕に相当する部分２ｂを折り曲げた状態の使用形態であり、上腕に相当する部分２ａを枕とし、前腕に相当する部分２ｂを人の肩から腕にかけて被せるようにしている。このようにすると、一体感や安心感が得られ安眠することができる。さらに、図２（ｂ）に示すように、前腕に相当する部分の先端の手に相当する部分をつかむこともできるので、特に乳幼児が寝付くときに、より安心感を得ることができる。
【００１４】
そのほか、図２（ｃ）に示すように、胴体に相当する部分１を枕とし、前腕に相当する部分２ｂを背当てとして使用することもできる。また、図２（ｄ）に示すように、胴体に相当する部分１を抱き枕として使用することもでき、そのとき図２（ｅ）に示すように前腕に相当する部分２ｂを背中支えとすることもできる。さらに、図２（ｆ）に示すように、前腕に相当する部分２ｂを直線状に伸ばした状態にすれば、二人で使用できるロング枕とすることもできる。
【００１５】
図３は、本発明による腕枕代用枕の他の実施例を示す平面図である。同図に示す腕枕代用枕は、面ファスナー等の接合手段によって図１に示したものを２つ接合し、人の上半身を模して形成したもので、図１に示したものと同じ構成には同一符号を付し、その説明は省略する。
【００１６】
図４には、図３に示す腕枕代用枕の使用形態の例を示す。本実施例の腕枕代用枕は、同図（ａ）に示すように二人で使用するすることができ、このとき、胴体に相当する部分１が仕切となってお互いの体が触れることがないので、二人とも熟睡することができる。さらに、二人の隙間を胴体に相当する部分１が埋めるので、外気の侵入が防止され保温性に優れたものとなる。また、図４（ｂ）に示すように、胴体に相当する部分１を長く形成すると、抱き枕として好適に使用することができる。
【００１７】
以上の実施例では、胴体に相当する部分１を人の胴体の一部を模して形成したが、人の胴体全体を模して形成することもでき、また、胴体だけでなく下肢に相当する部分も形成すると、より人に近い感覚が得られ、一体感や安心感を増すことができる。また、実施例では、前腕に相当する部分の先に、掌及び指に相当する部分を形成したものとしたが、これらの部分はなくてもよい。
【００１８】
【発明の効果】
本発明の腕枕代用枕は、次の効果を奏する。
【００１９】
（１）人の胴体と腕を模して形成したことにより、実際の腕枕に近い感覚となり、一体感や安心感が得られ、安眠できる。
【００２０】
（２）枕の前腕に相当する部分を上腕に相当する部分に対して折り曲げ可能に形成したことにより、前腕に相当する部分を折り曲げた状態にした場合には、前腕又は手に相当する部分をつかむことができ、一体感や安心感を増すことができる。
【００２１】
（３）前腕に相当する部分を折り曲げた状態にした場合には、前腕に相当する部分を背中を支える背当てクッションとして、前腕に相当する部分を伸ばした状態にした場合には、二人で使用するロング枕として使用できる等、様々な使用形態に対応できる。
【図面の簡単な説明】
【図１】本発明による腕枕代用枕の一実施例を示す斜視図であり、（ａ）は枕の前腕に相当する部分を伸ばした状態を示し、（ｂ）は枕の前腕に相当する部分を折り曲げた状態を示す。
【図２】本発明による腕枕代用枕の使用形態の例を示す図である。
【図３】本発明による腕枕代用枕の他の実施例を示す斜視図である。
【図４】図３に示す腕枕代用枕の使用形態の例を示す図である。
【符号の説明】
１：胴体に相当する部分　　２：腕に相当する部分
２ａ：上腕に相当する部分　２ｂ：前腕に相当する部分
【図１】
2004065270.tif 000003
【図２】
2004065270.tif 000004
【図３】
2004065270.tif 000005
【図４】
2004065270.tif 000006